(57)【要約】      （修正有）【課題】ＩＥＥＥ８０２．１１ｎ又は８０２．１１ａ規格の２つの４０ＭＨｚ  ＨＴ−ＬＴＦ、あるいはＩＥＥＥ８０２．１１ａ規格の４つの２０ＭＨｚ  ＬＴＦに基づいて、８０ＭＨｚチャネルの超高スループットＶＨＴ（超高スループット）ロング・トレーニング・フィールド（ＬＴＦ）シーケンスを構築するための技法を提供する。【解決手段】送信中のＰＡＰＲ（ピーク対平均電力比）を最小限に抑えようとして、複数の補間シーケンスと、適宜に選定された位相回転を用いて、複数回繰り返される１つ又は複数の他のシーケンスとを組み合わせることによってＬＴＦシーケンスを構築する。【選択図】図４
2015136120.tif 000002
【特許請求の範囲】
【請求項１】
構築されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせることによって前記ＬＴＦシーケンスを構築することと、
第１のサイズの帯域幅を利用することによって、前記構築されたＬＴＦシーケンスをワイヤレス・チャネル上で送信することと、
を備えるワイヤレス通信のための方法。
【請求項２】
前記ＬＴＦシーケンスを構築することが、
前記ＰＡＰＲを低減しようとして前記複数の補間シーケンスを設計すること、
を備える請求項１に記載の方法。
【請求項３】
前記ＬＴＦシーケンスを構築することが、
前記ＰＡＰＲを低減しようとして前記１つまたは複数の他のシーケンス内の複数のシンボルの位相を回転させること、
を備える請求項２に記載の方法。
【請求項４】
前記１つまたは複数の他のシーケンスの１つまたは複数の部分が、前記ＰＡＰＲを低減しようとして設計される請求項３に記載の方法。
【請求項５】
前記複数の補間シーケンスのうちの１つまたは複数のシーケンスの１つまたは複数の部分が、前記ＰＡＰＲを低減しようとして設計される請求項３に記載の方法。
【請求項６】
前記ＬＴＦシーケンスを構築することが、
前記ＰＡＰＲを低減しようとして前記構築されたＬＴＦシーケンスの複数のシンボルの位相を回転させることであって、前記複数のシンボルが前記帯域幅の一部分に属する、回転させること、
を備える請求項１に記載の方法。
【請求項７】
前記送信より前にオーバー・サンプリングを実行すること、
をさらに備える請求項６に記載の方法。
【請求項８】
前記第１のサイズの前記帯域幅が８０ＭＨｚの帯域幅を備える請求項１に記載の方法。
【請求項９】
構築されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせることによって前記ＬＴＦシーケンスを構築するように構成された構築回路と、
第１のサイズの帯域幅を利用することによって、前記構築されたＬＴＦシーケンスをワイヤレス・チャネル上で送信するように構成された送信機と、
を備えるワイヤレス通信のための装置。
【請求項１０】
前記構築回路が、前記ＰＡＰＲを低減しようとして前記複数の補間シーケンスを設計するようにも構成される請求項９に記載の装置。
【請求項１１】
前記構築回路が、前記ＰＡＰＲを低減しようとして前記１つまたは複数の他のシーケンス内の複数のシンボルの位相を回転させるようにも構成される請求項１０に記載の装置。
【請求項１２】
前記１つまたは複数の他のシーケンスの１つまたは複数の部分が、前記ＰＡＰＲを低減しようとして設計される請求項１１に記載の装置。
【請求項１３】
前記複数の補間シーケンスのうちの１つまたは複数のシーケンスの１つまたは複数の部分が、前記ＰＡＰＲを低減しようとして設計される請求項１１に記載の装置。
【請求項１４】
前記構築回路が、
前記ＰＡＰＲを低減しようとして前記構築されたＬＴＦシーケンスの複数のシンボルの位相を回転させることであって、前記複数のシンボルが前記帯域幅の一部分に属する、回転させることを行うようにも構成される請求項９に記載の装置。
【請求項１５】
前記送信より前にオーバー・サンプリングを実行するように構成されたサンプラ
をさらに備える請求項１４に記載の装置。
【請求項１６】
前記第１のサイズの前記帯域幅が８０ＭＨｚの帯域幅を備える請求項９に記載の装置。
【請求項１７】
構築されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせることによって前記ＬＴＦシーケンスを構築するための手段と、
第１のサイズの帯域幅を利用することによって、前記構築されたＬＴＦシーケンスをワイヤレス・チャネル上で送信するための手段と、
を備えるワイヤレス通信のための装置。
【請求項１８】
前記ＬＴＦシーケンスを構築するための前記手段が、
前記ＰＡＰＲを低減しようとして前記複数の補間シーケンスを設計するための手段
を備える請求項１７に記載の装置。
【請求項１９】
前記ＬＴＦシーケンスを構築するための前記手段が、
前記ＰＡＰＲを低減しようとして前記１つまたは複数の他のシーケンス内の複数のシンボルの位相を回転させるための手段を備える請求項１８に記載の装置。
【請求項２０】
前記１つまたは複数の他のシーケンスの１つまたは複数の部分が、前記ＰＡＰＲを低減しようとして設計される請求項１９に記載の装置。
【請求項２１】
前記複数の補間シーケンスのうちの１つまたは複数のシーケンスの１つまたは複数の部分が、前記ＰＡＰＲを低減しようとして設計される請求項１９に記載の装置。
【請求項２２】
前記ＬＴＦシーケンスを構築するための前記手段が、
前記ＰＡＰＲを低減しようとして前記構築されたＬＴＦシーケンスの複数のシンボルの位相を回転させるための手段であって、前記複数のシンボルが前記帯域幅の一部分に属する、回転させるための手段を備える請求項１７に記載の装置。
【請求項２３】
前記送信より前にオーバー・サンプリングを実行するための手段をさらに備える請求項２２に記載の装置。
【請求項２４】
前記第１のサイズの前記帯域幅が８０ＭＨｚの帯域幅を備える請求項１７に記載の装置。
【請求項２５】
構築されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせることによって前記ＬＴＦシーケンスを構築することと、
第１のサイズの帯域幅を利用することによって、前記構築されたＬＴＦシーケンスをワイヤレス・チャネル上で送信することと、
を行うように実行可能な命令を備えるコンピュータ可読媒体を備えるワイヤレス通信のためのコンピュータ・プログラム製品。
【請求項２６】
少なくとも１つのアンテナと、
構築されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせることによって前記ＬＴＦシーケンスを構築するように構成された構築回路と、
第１のサイズの帯域幅を利用することによって、前記構築されたＬＴＦシーケンスを前記少なくとも１つのアンテナを介してワイヤレス・チャネル上で送信するように構成された送信機と、
を備えるワイヤレス・ノード。
【請求項２７】
ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築することであって、
前記ＬＴＦシンボル値が第１のサイズの帯域幅の少なくとも一部分をカバーし、
前記ＬＴＦシンボル値の各々が、異なるサブキャリアに対して１回または複数回繰り返される、
構築することと、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させることと、
第２のサイズの帯域幅を利用することによって前記ＬＴＦシーケンスをワイヤレス・チャネル上で送信することと、
を備えるワイヤレス通信のための方法。
【請求項２８】
前記ＬＴＦシーケンスを構築することが、
前記ＰＡＰＲを低減しようとして前記複数の補間シーケンスを設計すること
を備える請求項２７に記載の方法。
【請求項２９】
前記第１のサイズの前記帯域幅が２０ＭＨｚの帯域幅を備える請求項２７に記載の方法。
【請求項３０】
前記第１のサイズの前記帯域幅が４０ＭＨｚの帯域幅を備える請求項２７に記載の方法。
【請求項３１】
前記第２のサイズの前記帯域幅が８０ＭＨｚの帯域幅を備える請求項２７に記載の方法。
【請求項３２】
前記ＰＡＰＲを低減しようとして前記ＬＴＦシーケンスの複数のシンボルの位相を回転させることであって、前記複数のシンボルが前記第２のサイズの前記帯域幅の一部分に属する、回転させることをさらに備える請求項２７に記載の方法。
【請求項３３】
前記送信より前にオーバー・サンプリングを実行すること
をさらに備える請求項３２に記載の方法。
【請求項３４】
ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築するように構成された第１の回路であって、
前記ＬＴＦシンボル値が第１のサイズの帯域幅の少なくとも一部分をカバーし、前記ＬＴＦシンボル値の各々が、異なるサブキャリアに対して１回または複数回繰り返されている第１の回路と、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させるように構成された第２の回路と、
第２のサイズの帯域幅を利用することによって前記ＬＴＦシーケンスをワイヤレス・チャネル上で送信するように構成された送信機と、
を備えるワイヤレス通信のための装置。
【請求項３５】
前記第１の回路が、前記ＰＡＰＲを低減しようとして前記複数の補間シーケンスを設計するようにも構成される請求項３４に記載の装置。
【請求項３６】
前記第１のサイズの前記帯域幅が２０ＭＨｚの帯域幅を備える請求項３４に記載の装置。
【請求項３７】
前記第１のサイズの前記帯域幅が４０ＭＨｚの帯域幅を備える請求項３４に記載の装置。
【請求項３８】
前記第２のサイズの前記帯域幅が８０ＭＨｚの帯域幅を備える請求項３４に記載の装置。
【請求項３９】
前記ＰＡＰＲを低減しようとして前記ＬＴＦシーケンスの複数のシンボルの位相を回転させるように構成された第３の回路であって、前記複数のシンボルが前記第２のサイズの前記帯域幅の一部分に属する第３の回路をさらに備える請求項３４に記載の装置。
【請求項４０】
前記送信より前にオーバー・サンプリングを実行するように構成されたサンプラ
をさらに備える請求項３９に記載の装置。
【請求項４１】
ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築するための手段であって、
前記ＬＴＦシンボル値が第１のサイズの帯域幅の少なくとも一部分をカバーし、前記ＬＴＦシンボル値の各々が、異なるサブキャリアに対して１回または複数回繰り返されている構築するための手段と、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させるための手段と、
第２のサイズの帯域幅を利用することによって前記ＬＴＦシーケンスをワイヤレス・チャネル上で送信するための手段と、
を備えるワイヤレス通信のための装置。
【請求項４２】
ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築することであって、
前記ＬＴＦシンボル値が第１のサイズの帯域幅の少なくとも一部分をカバーし、前記ＬＴＦシンボル値の各々が、異なるサブキャリアに対して１回または複数回繰り返されている構築することと、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させることと、
第２のサイズの帯域幅を利用することによって前記ＬＴＦシーケンスをワイヤレス・チャネル上で送信することと、
を行うように実行可能な命令を備えるコンピュータ可読媒体を備えるワイヤレス通信のためのコンピュータ・プログラム製品。
【請求項４３】
少なくとも１つのアンテナと、
ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築するように構成された第１の回路であって、
前記ＬＴＦシンボル値が第１のサイズの帯域幅の少なくとも一部分をカバーし、前記ＬＴＦシンボル値の各々が、異なるサブキャリアに対して１回または複数回繰り返されている第１の回路と、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させるように構成された第２の回路と、
第２のサイズの帯域幅を利用することによって前記ＬＴＦシーケンスを前記少なくとも１つのアンテナを介してワイヤレス・チャネル上で送信するように構成された送信機と、
を備えるワイヤレス・ノード。
【発明の詳細な説明】
【技術分野】
【０００１】
本開示のいくつかの態様は、一般にワイヤレス通信に関し、より詳細には、プリアンブル内のロング・トレーニング・フィールド（ＬＴＦ）シーケンスの構築に関する。
【０００２】
優先権の主張
本特許出願は、本出願の譲受人に譲渡され、参照により本明細書に明確に組み込まれる、２００９年７月１７日に出願された仮出願第６１／２２６，６１５号の利益を主張する。
【背景技術】
【０００３】
米国電気電子技術者協会（ＩＥＥＥ）８０２．１１ワイド・ローカルエリア・ネットワーク（ＷＬＡＮ）規格団体は、５ＧＨｚのキャリア周波数（すなわち、ＩＥＥＥ８０２．１１ａｃ仕様）を使用する、または毎秒１ギガビットよりも大きい合計スループットを目標とする６０ＧＨｚのキャリア周波数（すなわち、ＩＥＥＥ８０２．１１ａｄ仕様）を使用する、超高スループット（ＶＨＴ）手法に基づく送信のための仕様を確立した。ＶＨＴ  ５ＧＨｚ仕様を可能にするための技術のうちの１つは、２つの４０ＭＨｚチャネルを結合して８０ＭＨｚ帯域幅にし、したがってＩＥＥＥ８０２．１１ｎ規格と比較してごくわずかなコストの増加で物理レイヤ（ＰＨＹ）データ・レートを２倍にする、より広いチャネル帯域幅である。
【０００４】
ＶＨＴロング・トレーニング・フィールド（ＬＴＦ）は、送信プリアンブルの一部であり、基礎をなす多入力多出力（ＭＩＭＯ）ワイヤレス・チャネルの特性を推定するために受信機側において利用され得る。本開示では、送信機側において低いピーク対平均電力比（ＰＡＰＲ）を与えながらＶＨＴ−ＬＴＦシーケンスを構築するための方法を提案する。
【発明の概要】
【０００５】
本開示のいくつかの態様は、ワイヤレス通信のための方法をサポートする。本方法は、概して、構築されるロング・トレーニング・フィールド（ＬＴＦ）シーケンスの送信中のピーク対平均電力比（ＰＡＰＲ）を低減しようとして（または場合によっては最小限に抑えようとして）、複数の補間シーケンスと複数回繰り返される１つまたは複数の他のシーケンスとを組み合わせることによってＬＴＦシーケンスを構築することと、第１のサイズの帯域幅を利用することによって、構築されたＬＴＦシーケンスをワイヤレス・チャネル上で送信することとを含む。
【０００６】
本開示のいくつかの態様は、ワイヤレス通信のための装置を提供する。本装置は、概して、構築されるロング・トレーニング・フィールド（ＬＴＦ）シーケンスの送信中のピーク対平均電力比（ＰＡＰＲ）を低減しようとして（または場合によっては最小限に抑えようとして）、複数の補間シーケンスと複数回繰り返される１つまたは複数の他のシーケンスとを組み合わせることによってＬＴＦシーケンスを構築するように構成された構築回路と、第１のサイズの帯域幅を利用することによって、構築されたＬＴＦシーケンスをワイヤレス・チャネル上で送信するように構成された送信機とを含む。
【０００７】
本開示のいくつかの態様は、ワイヤレス通信のための装置を提供する。本装置は、概して、構築されるロング・トレーニング・フィールド（ＬＴＦ）シーケンスの送信中のピーク対平均電力比（ＰＡＰＲ）を低減しようとして（または場合によっては最小限に抑えようとして）、複数の補間シーケンスと複数回繰り返される１つまたは複数の他のシーケンスとを組み合わせることによってＬＴＦシーケンスを構築するための手段と、第１のサイズの帯域幅を利用することによって、構築されたＬＴＦシーケンスをワイヤレス・チャネル上で送信するための手段とを含む。
【０００８】
本開示のいくつかの態様は、ワイヤレス通信のためのコンピュータ・プログラム製品を提供する。本コンピュータ・プログラム製品は、構築されるロング・トレーニング・フィールド（ＬＴＦ）シーケンスの送信中のピーク対平均電力比（ＰＡＰＲ）を低減しようとして（または場合によっては最小限に抑えようとして）、複数の補間シーケンスと複数回繰り返される１つまたは複数の他のシーケンスとを組み合わせることによってＬＴＦシーケンスを構築することと、第１のサイズの帯域幅を利用することによって、構築されたＬＴＦシーケンスをワイヤレス・チャネル上で送信することとを行うように実行可能な命令を備えるコンピュータ可読媒体を含む。
【０００９】
本開示のいくつかの態様は、ワイヤレス・ノードを提供する。本ワイヤレス・ノードは、概して、少なくとも１つのアンテナと、構築されるロング・トレーニング・フィールド（ＬＴＦ）シーケンスの送信中のピーク対平均電力比（ＰＡＰＲ）を低減しようとして（または場合によっては最小限に抑えようとして）、複数の補間シーケンスと複数回繰り返される１つまたは複数の他のシーケンスとを組み合わせることによってＬＴＦシーケンスを構築するように構成された構築回路と、第１のサイズの帯域幅を利用することによって、構築されたＬＴＦシーケンスを少なくとも１つのアンテナを介してワイヤレス・チャネル上で送信するように構成された送信機とを含む。
【００１０】
本開示のいくつかの態様は、ワイヤレス通信のための方法をサポートする。本方法は、概して、ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築することであって、ＬＴＦシンボル値が第１のサイズの帯域幅の少なくとも一部分をカバーし、ＬＴＦシンボル値の各々が、異なるサブキャリアに対して１回または複数回繰り返される、構築することと、ＬＴＦシーケンスの送信中のピーク対平均電力比（ＰＡＰＲ）を低減しようとして（または場合によっては最小限に抑えようとして）第１のサイズの帯域幅ごとにＬＴＦシーケンスのシンボルの位相を回転させることと、第２のサイズの帯域幅を利用することによってＬＴＦシーケンスをワイヤレス・チャネル上で送信することとを含む。
【００１１】
本開示のいくつかの態様は、ワイヤレス通信のための装置を提供する。本装置は、概して、ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築するように構成された第１の回路であって、ＬＴＦシンボル値が第１のサイズの帯域幅の少なくとも一部分をカバーし、ＬＴＦシンボル値の各々が、異なるサブキャリアに対して１回または複数回繰り返される、第１の回路と、ＬＴＦシーケンスの送信中のピーク対平均電力比（ＰＡＰＲ）を低減しようとして（または場合によっては最小限に抑えようとして）第１のサイズの帯域幅ごとにＬＴＦシーケンスのシンボルの位相を回転させるように構成された第２の回路と、第２のサイズの帯域幅を利用することによってＬＴＦシーケンスをワイヤレス・チャネル上で送信するように構成された送信機とを含む。
【００１２】
本開示のいくつかの態様は、ワイヤレス通信のための装置を提供する。本装置は、概して、ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築するための手段であって、ＬＴＦシンボル値が第１のサイズの帯域幅の少なくとも一部分をカバーし、ＬＴＦシンボル値の各々が、異なるサブキャリアに対して１回または複数回繰り返される、構築するための手段と、ＬＴＦシーケンスの送信中のピーク対平均電力比（ＰＡＰＲ）を低減しようとして（または場合によっては最小限に抑えようとして）第１のサイズの帯域幅ごとにＬＴＦシーケンスのシンボルの位相を回転させるための手段と、第２のサイズの帯域幅を利用することによってＬＴＦシーケンスをワイヤレス・チャネル上で送信するための手段とを含む。
【００１３】
本開示のいくつかの態様は、ワイヤレス通信のためのコンピュータ・プログラム製品を提供する。本コンピュータ・プログラム製品は、ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築することであって、ＬＴＦシンボル値が第１のサイズの帯域幅の少なくとも一部分をカバーし、ＬＴＦシンボル値の各々が、異なるサブキャリアに対して１回または複数回繰り返される、構築することと、ＬＴＦシーケンスの送信中のピーク対平均電力比（ＰＡＰＲ）を低減しようとして（または場合によっては最小限に抑えようとして）第１のサイズの帯域幅ごとにＬＴＦシーケンスのシンボルの位相を回転させることと、第２のサイズの帯域幅を利用することによってＬＴＦシーケンスをワイヤレス・チャネル上で送信することとを行うように実行可能な命令を備えるコンピュータ可読媒体を含む。
【００１４】
本開示のいくつかの態様は、ワイヤレス・ノードを提供する。本ワイヤレス・ノードは、概して、少なくとも１つのアンテナと、ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築するように構成された第１の回路であって、ＬＴＦシンボル値が第１のサイズの帯域幅の少なくとも一部分をカバーし、ＬＴＦシンボル値の各々が、異なるサブキャリアに対して１回または複数回繰り返される、第１の回路と、ＬＴＦシーケンスの送信中のピーク対平均電力比（ＰＡＰＲ）を低減しようとして（または場合によっては最小限に抑えようとして）第１のサイズの帯域幅ごとにＬＴＦシーケンスのシンボルの位相を回転させるように構成された第２の回路と、第２のサイズの帯域幅を利用することによってＬＴＦシーケンスを少なくとも１つのアンテナを介してワイヤレス・チャネル上で送信するように構成された送信機とを含む。
【００１５】
本開示の上述の特徴を詳細に理解することができるように、添付の図面にその一部を示す態様を参照することによって、上記で簡単に要約したより具体的な説明が得られ得る。ただし、その説明は他の等しく有効な態様に通じ得るので、添付の図面は、本開示のいくつかの典型的な態様のみを示し、したがって、その範囲を限定するものと見なすべきではないことに留意されたい。
【図面の簡単な説明】
【００１６】
【図１】本開示のいくつかの態様によるワイヤレス通信ネットワークの図。
【図２】本開示のいくつかの態様による、図１のワイヤレス通信ネットワークにおけるワイヤレス・ノードの物理レイヤ（ＰＨＹ）の信号処理機能の一例のブロック図。
【図３】本開示のいくつかの態様による、図１のワイヤレス通信ネットワークにおけるワイヤレス・ノード中の処理システムの例示的なハードウェア構成のブロック図。
【図４】本開示のいくつかの態様による、８０ＭＨｚチャネルの超高スループット・ロング・トレーニング・フィールド（ＶＨＴ−ＬＴＦ）シーケンスを構築するための例示的な動作を示す図。
【図４Ａ】図４に示す動作を実行することが可能な例示的な構成要素を示す図。
【図５】本開示のいくつかの態様による、レガシーベースの手法に従って設計された８０ＭＨｚ  ＬＴＦについてのピーク対平均電力比（ＰＡＰＲ）結果の例を示す図。
【図６】本開示のいくつかの態様による、レガシーベースの手法に従って設計された８０ＭＨｚ  ＬＴＦについてのＰＡＰＲ結果の別の例を示す図。
【図７Ａ】本開示のいくつかの態様による、第１の新しいシーケンスに基づいて設計された８０ＭＨｚ  ＬＴＦについてのＰＡＰＲ結果の例を示す図。
【図７Ｂ】本開示のいくつかの態様による、第１の新しいシーケンスに基づいて設計された８０ＭＨｚ  ＬＴＦについてのＰＡＰＲ結果の例を示す図。
【図８】本開示のいくつかの態様による、第１の新しいシーケンスに基づいて設計された好適な８０ＭＨｚ  ＬＴＦを示す図。
【図９Ａ】本開示のいくつかの態様による、第２の新しいシーケンスに基づいて設計された８０ＭＨｚ  ＬＴＦについてのＰＡＰＲ結果の例を示す図。
【図９Ｂ】本開示のいくつかの態様による、第２の新しいシーケンスに基づいて設計された８０ＭＨｚ  ＬＴＦについてのＰＡＰＲ結果の例を示す図。
【図１０】本開示のいくつかの態様による、第２の新しいシーケンスに基づいて設計された好適な８０ＭＨｚ  ＬＴＦを示す図。
【図１１Ａ】本開示のいくつかの態様による、第３の新しいシーケンスに基づいて設計された８０ＭＨｚ  ＬＴＦについてのＰＡＰＲ結果の例を示す図。
【図１１Ｂ】本開示のいくつかの態様による、第３の新しいシーケンスに基づいて設計された８０ＭＨｚ  ＬＴＦについてのＰＡＰＲ結果の例を示す図。
【図１２】本開示のいくつかの態様による、第３の新しいシーケンスに基づいて設計された好適な８０ＭＨｚ  ＬＴＦを示す図。
【図１３】本開示のいくつかの態様による、８０ＭＨｚチャネルの超高スループット・ロング・トレーニング・フィールド（ＶＨＴ−ＬＴＦ）シーケンスを構築するための他の例示的な動作を示す図。
【図１３Ａ】図１３に示す動作を実行することが可能な例示的な構成要素を示す図。
【発明を実施するための形態】
【００１７】
添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置を実装し得、または方法を実施し得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示の任意の態様が請求項の１つまたは複数の要素によって実施され得ることを理解されたい。
【００１８】
「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００１９】
本明細書では特定の態様について説明するが、これらの態様の多くの変形体および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好適な態様についての以下の説明で示す。発明を実施するための形態および図面は、限定的なものではなく本開示を説明するものにすぎず、本開示の範囲は添付の特許請求の範囲およびその均等物によって規定される。
【００２０】
例示的なワイヤレス通信システム
本明細書に記載の技法は、直交多重化方式に基づくブロードバンド・ワイヤレス通信システムを含む様々な通信システムに使用され得る。そのような通信システムの例には、直交周波数分割多元接続（ＯＦＤＭＡ）システム、シングル・キャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアはデータで独立して変調され得る。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。一般に、変調シンボルは、ＯＦＤＭでは周波数領域で、ＳＣ−ＦＤＭＡでは時間領域で送られる。
【００２１】
本明細書の教示は、様々なワイヤードまたはワイヤレス装置（たとえば、ノード）に組み込まれ得る（たとえば、その装置内に実装され、またはその装置によって実行され得る）。いくつかの態様では、本明細書の教示に従って実装されるノードはアクセス・ポイントまたはアクセス端末を備え得る。
【００２２】
アクセス・ポイント（「ＡＰ」）は、ノードＢ、無線ネットワーク・コントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービス・セット（「ＥＳＳ」）、無線基地局（「ＲＢＳ」）、または何らかの他の用語を備えるか、それらのいずれかとして実装されるか、あるいはそれらのいずれかとして知られていることがある。
【００２３】
アクセス端末（「ＡＴ」）は、アクセス端末、加入者局、加入者ユニット、移動局、リモート局、リモート端末、ユーザ端末、ユーザ・エージェント、ユーザ・デバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレス・ローカルループ（「ＷＬＬ」）局、携帯情報端末（「ＰＤＡ」）、ワイヤレス接続機能を有するハンドヘルドデバイス、またはワイヤレス・モデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブル・コンピューティング・デバイス（たとえば、個人情報端末）、エンターテインメント・デバイス（たとえば、音楽またはビデオデバイス、あるいは衛星ラジオ）、全地球測位システム・デバイス、ヘッドセット、センサ、あるいはワイヤレスまたはワイヤード媒体を介して通信するように構成された他の好適なデバイスに組み込まれ得る。いくつかの態様では、ノードはワイヤレス・ノードである。たとえば、そのようなワイヤレス・ノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２４】
次に、図１を参照しながら、ワイヤレス・ネットワークのいくつかの態様を提示する。ワイヤレス・ネットワーク１００は、ノード１１０および１２０として概略的に示される、いくつかのワイヤレス・ノードとともに示されている。各ワイヤレス・ノードは、受信および／または送信することが可能である。以下の説明では、受信しているノードを指すために「受信ノード」という用語が使用され得、送信しているノードを指すために「送信ノード」という用語が使用され得る。そのような言及は、ノードが送信と受信の両方の動作を実行することが不可能であることを暗示しない。
【００２５】
以下の発明を実施するための形態では、ダウンリンク通信では、「アクセス・ポイント」という用語は送信ノードを示すために使用され、「アクセス端末」という用語は受信ノードを示すために使用されるが、アップリンク通信では、「アクセス・ポイント」という用語は受信ノードを示すために使用され、「アクセス端末」という用語は送信ノードを示すために使用される。しかしながら、アクセス・ポイントおよび／またはアクセス端末のために他の用語または名称が使用され得ることを、当業者なら容易に理解するであろう。例として、アクセス・ポイントは、基地局、送受信基地局、局、端末、ノード、アクセス・ポイントとして働くアクセス端末、または何らかの他の好適な用語で呼ばれることがある。アクセス端末は、ユーザ端末、移動局、加入者局、局、ワイヤレスデバイス、端末、ノード、または何らかの他の好適な用語で呼ばれることがある。本開示全体にわたって説明する様々な概念は、ワイヤレス・ノードの固有の名称にかかわらず、すべての好適なワイヤレス・ノードに当てはまるものである。
【００２６】
ワイヤレス・ネットワーク１００は、アクセス端末１２０のためのカバレージを提供するために、地理的領域全体にわたって分散される任意の数のアクセス・ポイントをサポートし得る。システム・コントローラ１３０は、アクセス・ポイントの調整および制御を行うために、ならびにアクセス端末１２０に他のネットワーク（たとえば、インターネット）へのアクセスを与えるために使用され得る。簡単のために、１つのアクセス・ポイント１１０を示してある。アクセス・ポイントは、一般に、カバレージの地理的領域中のアクセス端末にバックホールサービスを提供する固定端末であるが、アクセス・ポイントは、いくつかの適用例ではモバイルであり得る。固定またはモバイルであり得るアクセス端末は、アクセス・ポイントのバックホールサービスを利用するか、または他のアクセス端末とのピアツーピア通信に関与する。アクセス端末の例は、電話（たとえば、セルラー電話）、ラップトップ・コンピュータ、デスクトップ・コンピュータ、携帯情報端末（ＰＤＡ）、デジタル・オーディオプレーヤ（たとえば、ＭＰ３プレーヤ）、カメラ、ゲーム機、または他の好適なワイヤレス・ノードを含む。
【００２７】
１つまたは複数のアクセス端末１２０は、特定の機能を可能にするために複数のアンテナを装備し得る。この構成では、アクセス・ポイント１１０にある複数のアンテナを使用して複数アンテナアクセス端末と通信して、追加の帯域幅または送信電力なしにデータスループットを改善し得る。これは、送信機における高データ・レート信号を、異なる空間シグナチャをもつ複数の低レート・データストリームに分割し、それによって、受信機がこれらのストリームを複数のチャネルに分離し、ストリームを適切に組み合わせて高レートデータ信号を復元することを可能にすることによって達成され得る。
【００２８】
以下の開示の部分では、多入力多出力（ＭＩＭＯ）技術を同じくサポートするアクセス端末について説明するが、アクセス・ポイント１１０は、ＭＩＭＯ技術をサポートしないアクセス端末をサポートするようにも構成され得る。この手法は、より新しいＭＩＭＯアクセス端末が適宜に導入されることを可能にしながら、より古いバージョンのアクセス端末（すなわち、「レガシー」端末）がワイヤレス・ネットワークに配備されたままであることを可能にし、それらの有効寿命を延長し得る。
【００２９】
以下の発明を実施するための形態では、本発明の様々な態様について、直交周波数分割多重（ＯＦＤＭ）など、任意の好適なワイヤレス技術をサポートするＭＩＭＯシステムに関して説明する。ＯＦＤＭは、正確な周波数で離間したいくつかのサブキャリアにわたってデータを配信する技法である。離間は、受信機がサブキャリアからデータを復元することを可能にする「直交性」を与える。ＯＦＤＭシステムは、ＩＥＥＥ８０２．１１、または何らかの他のエア・インターフェース規格を実装し得る。他の好適なワイヤレス技術は、例として、符号分割多元接続（ＣＤＭＡ）、時分割多元接続（ＴＤＭＡ）、または他の好適なワイヤレス技術、あるいは好適なワイヤレス技術の任意の組合せを含む。ＣＤＭＡシステムは、ＩＳ−２０００、ＩＳ−９５、ＩＳ−８５６、広帯域ＣＤＭＡ（ＷＣＤＭＡ（登録商標））、または何らかの他の好適なエア・インターフェース規格で実装され得る。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））または何らかの他の好適なエア・インターフェース規格を実装し得る。当業者なら容易に諒解するように、本発明の様々な態様は、いかなる特定のワイヤレス技術および／またはエア・インターフェース規格にも限定されない。
【００３０】
図２に、物理（ＰＨＹ）レイヤの信号処理機能の一例を示す概念ブロック図を示す。送信モードでは、ＴＸデータ・プロセッサ２０２は、媒体アクセス制御（ＭＡＣ）レイヤからデータを受信し、受信ノードにおいて前方誤り訂正（ＦＥＣ）を可能にするためにデータを符号化する（たとえば、ターボ・コーディングする）ために使用され得る。符号化プロセスは、変調シンボルのシーケンスを生成するために、互いにブロック化され、ＴＸデータ・プロセッサ２０２によって信号コンスタレーションにマッピングされ得る、コード・シンボルのシーケンスを生じる。
【００３１】
ＯＦＤＭを実装するワイヤレス・ノードでは、ＴＸデータ・プロセッサ２０２からの変調シンボルはＯＦＤＭ変調器２０４に供給され得る。ＯＦＤＭ変調器は変調シンボルを並列ストリームに分割する。各ストリームは、次いでＯＦＤＭサブキャリアにマッピングされ、次いで逆高速フーリエ変換（ＩＦＦＴ）を使用して互いに合成されて、時間領域ＯＦＤＭストリームを生成する。
【００３２】
ＴＸ空間プロセッサ２０６はＯＦＤＭストリームに対して空間処理を実行する。これは、各ＯＦＤＭを空間的にプリコードし、次いで、トランシーバ２０６を介して、空間的にプリコードされた各ストリームを異なるアンテナ２０８に供給することによって達成され得る。各送信機２０６は、ワイヤレス・チャネル上で送信するために、ＲＦキャリアをそれぞれのプリコードされたストリームで変調する。
【００３３】
受信モードでは、各トランシーバ２０６は、そのそれぞれのアンテナ２０８を通して信号を受信する。各トランシーバ２０６は、ＲＦキャリア上に変調された情報を復元し、その情報をＲＸ空間プロセッサ２１０に供給するために使用され得る。
【００３４】
ＲＸ空間プロセッサ２１０は、ワイヤレス・ノード２００に宛てられた任意の空間ストリームを復元するために、情報に対して空間処理を実行する。空間処理は、チャネル相関行列反転（ＣＣＭＩ）、最小平均２乗誤差（ＭＭＳＥ）、ソフト干渉除去（ＳＩＣ）、または何らかの他の好適な技法に従って実行され得る。複数の空間ストリームがワイヤレス・ノード２００に宛てられた場合、それらはＲＸ空間プロセッサ２１０によって合成され得る。
【００３５】
ＯＦＤＭを実装しているワイヤレス・ノードでは、ＲＸ空間プロセッサ２１０からのストリーム（または合成されたストリーム）はＯＦＤＭ復調器２１２に供給される。ＯＦＤＭ復調器２１２は、高速フーリエ変換（ＦＦＴ）を使用してストリーム（または合成されたストリーム）を時間領域から周波数領域に変換する。周波数領域信号は、ＯＦＤＭ信号のサブキャリアごとに別々のストリームを備える。ＯＦＤＭ復調器２１２は、各サブキャリア上で搬送されたデータ（すなわち、変調シンボル）を復元し、そのデータを変調シンボルのストリームに多重化する。
【００３６】
ＲＸデータ・プロセッサ２１４は、変調シンボルを信号コンスタレーション中の正しいポイントに戻すために使用され得る。ワイヤレス・チャネル中の雑音および他の妨害のために、変調シンボルは、元の信号コンスタレーション中のポイントの正確な位置に対応しないことがある。ＲＸデータ・プロセッサ２１４は、受信されたポイントと信号コンスタレーション中の有効なシンボルの位置との間の最小距離を見つけることによって、送信された可能性が最も高い変調シンボルを検出する。たとえば、ターボコードの場合、これらの軟判定を使用して、所与の変調シンボルに関連するコード・シンボルの対数尤度比（ＬＬＲ）を計算し得る。次いで、ＲＸデータ・プロセッサ２１４は、コード・シンボルＬＬＲのシーケンスを使用して、最初に送信されたデータをＭＡＣレイヤに供給する前にそのデータを復号する。
【００３７】
図３に、ワイヤレス・ノード中の処理システムのハードウェア構成の一例を示す概念図を示す。この例では、処理システム３００は、バス３０２によって概略的に表されるバスアーキテクチャを用いて実装され得る。バス３０２は、処理システム３００の特定の適用例および全体的な設計制約に応じて、任意の数の相互接続バスおよびブリッジを含み得る。そのバスは、プロセッサ３０４と、機械可読媒体３０６と、バス・インターフェース３０８とを含む様々な回路を互いにリンクする。バス・インターフェース３０８は、ネットワーク・アダプタ３１０を、特に、バス３０２を介して処理システム３００に接続するために使用され得る。ネットワーク・アダプタ３１０は、ＰＨＹレイヤの信号処理機能を実装するために使用され得る。アクセス端末１１０（図１参照）の場合、ユーザ・インターフェース３１２（たとえば、キーパッド、ディスプレイ、マウス、ジョイスティックなど）もバスに接続され得る。バス３０２は、タイミング・ソース、周辺機器、電圧調整器、電力管理回路など、様々な他の回路をリンクし得るが、これらの回路は当技術分野においてよく知られており、したがって、これ以上説明しない。
【００３８】
プロセッサ３０４は、バスを管理することと、機械可読媒体３０６に記憶されたソフトウェアの実行を含む一般的な処理とを担当する。プロセッサ３０４は、１つまたは複数の汎用および／または専用プロセッサを用いて実装され得る。例としては、マイクロ・プロセッサ、マイクロ・コントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の適切な記憶媒体、あるいはそれらの任意の組合せを含み得る。機械可読媒体はコンピュータ・プログラム製品において実施され得る。コンピュータ・プログラム製品はパッケージング材料を備え得る。
【００３９】
図３に示すハードウェア実装では、機械可読媒体３０６は、プロセッサ３０４とは別個の、処理システム３００の一部として示されている。しかしながら、当業者なら容易に諒解するように、機械可読媒体３０６またはその任意の部分は処理システム３００の外部にあり得る。例として、機械可読媒体３０６は、すべてバス・インターフェース３０８を介してプロセッサ３０４がアクセスし得る、伝送線路、データによって変調された搬送波、および／またはワイヤレス・ノードとは別個のコンピュータ製品を含み得る。代替的に、または追加として、機械可読媒体３０６またはその任意の部分は、キャッシュおよび／または汎用レジスタファイルがそうであるようにプロセッサ３０４に統合され得る。
【００４０】
処理システム３００は、すべて外部バス・アーキテクチャを介して他のサポート回路と互いにリンクされる、プロセッサ機能を提供する１つまたは複数のマイクロ・プロセッサと、機械可読媒体３０６の少なくとも一部分を提供する外部メモリとをもつ汎用処理システムとして構成され得る。代替的に、処理システム３００は、プロセッサ３０４をもつＡＳＩＣ（特定用途向け集積回路）と、バス・インターフェース３０８と、アクセス端末の場合はユーザ・インターフェース３１２と、サポート回路（図示せず）と、単一のチップに統合された機械可読媒体３０６の少なくとも一部分とを用いて、あるいは１つまたは複数のＦＰＧＡ（フィールド・プログラマブル・ゲートアレイ）、ＰＬＤ（プログラマブル論理デバイス）、コントローラ、状態機械、ゲート論理、個別ハードウェア構成要素、もしくは他の適切な回路、または本開示全体にわたって説明する様々な機能を実行することができる回路の任意の組合せを用いて、実装され得る。当業者なら、特定の適用例および全体的なシステムに課せられた全体的な設計制約に応じて、処理システム３００について説明した機能をどのようにしたら最も良く実装することができるかを認識されよう。
【００４１】
図１からのワイヤレス・ネットワーク１００は、５ＧＨｚのキャリア周波数（すなわち、ＩＥＥＥ８０２．１１ａｃ仕様）を用いた、または毎秒１ギガビットよりも大きい合計スループットを目標とする６０ＧＨｚのキャリア周波数（すなわち、ＩＥＥＥ８０２．１１ａｄ仕様）を用いた、信号送信のための超高スループット（ＶＨＴ）プロトコルを利用するＩＥＥＥ８０２．１１ワイド・ローカルエリア・ネットワーク（ＷＬＡＮ）を表し得る。ＶＨＴ  ５ＧＨｚ仕様は、８０ＭＨｚ帯域幅を達成するために２つの４０ＭＨｚチャネルを備え、したがってＩＥＥＥ８０２．１１ｎ規格と比較してごくわずかなコストの増加でＰＨＹデータ・レートを２倍にし得る、より広いチャネル帯域幅を利用し得る。
【００４２】
本開示のいくつかの態様は、当技術分野で利用されるトレーニング・シーケンスよりも低いピーク対平均電力比（ＰＡＰＲ）を与え得るＶＨＴベースの送信のためにプリアンブル内のトレーニング・シーケンスを構築することをサポートする。
【００４３】
８０ＭＨｚ帯域幅のロング・トレーニング・フィールド・シーケンスの構築
ワイヤレス・チャネルの特性を推定するために受信機側において送信プリアンブルの超高スループット・ロング・トレーニング・フィールド（ＶＨＴ−ＬＴＦ）シーケンスが利用され得る。８０ＭＨｚ  ＶＨＴ−ＬＴＦシーケンスは２つの手法に基づいて導出され得る。本開示の一態様では、ＶＨＴ−ＬＴＦは、ＶＨＴ−ＬＴＦの低いＰＡＰＲと高い自己相関性質とを保持するために２つの４０ＭＨｚ  ＨＴ−ＬＴＦを使用することによって導出され得る。これを達成するために、４０ＭＨｚ  ＨＴ−ＬＴＦは、複製され、周波数においてシフトされ得、次いで、余分の／欠落したサブキャリアが充填され得る。既存の４０ＭＨｚ  ＨＴ−ＬＴＦシーケンスが利用され得るので、この手法は「レガシー手法」と呼ばれることがある。本開示の別の態様では、さらにより良いＰＡＰＲ結果を取得するために完全に新しいＬＴＦシーケンスが構築され得る。この手法は「新しいシーケンス」手法と呼ばれることがある。
【００４４】
図４に、本開示のいくつかの態様による、８０ＭＨｚチャネル帯域幅のＶＨＴ−ＬＴＦシーケンスを構築するための例示的な動作４００を示す。４０２において、構築されるＬＴＦシーケンスの送信中のＰＡＰＲを最小限に抑えようとして（または少なくとも低減しようとして）、複数の補間シーケンスと、適宜に選定された位相回転を用いて（たとえば、図７〜図１２において定義されているように、異なる回転パターン［ｃ１  ｃ２  ｃ３  ｃ４］を用いて）複数回繰り返される１つまたは複数の他のシーケンスとを組み合わせることによってＬＴＦシーケンスを構築する。４０４において、たとえば、８０ＭＨｚの帯域幅を利用することによって、構築されたＬＴＦシーケンスをワイヤレス・チャネル上で送信する。
【００４５】
図１３に、本開示のいくつかの態様による、８０ＭＨｚチャネル帯域幅のＶＨＴ−ＬＴＦシーケンスを構築するための例示的な動作１３００を示す。１３０２において、ＩＥＥＥ８０２．１１ｎ規格またはＩＥＥＥ８０２．１１ａ規格のうちの少なくとも１つに関連するＬＴＦシンボル値と複数の補間シーケンスを組み合わせることによってＬＴＦシーケンスを構築し、ＬＴＦシンボル値が第１のサイズの帯域幅の少なくとも一部分をカバーし得、ＬＴＦシンボル値の各々が、異なるサブキャリアに対して１回または複数回繰り返され得る。１３０４において、ＬＴＦシーケンスの送信中のＰＡＰＲを最小限に抑えようとして（または少なくとも低減しようとして）、第１のサイズの帯域幅ごとに（たとえば、図７〜図１２において定義されているように、２０ＭＨｚサブバンドごとに適用される回転パターンのｃ１、ｃ２、ｃ３およびｃ４の異なる値を用いて）ＬＴＦシーケンスのシンボルの位相を回転させる。１３０６において、第２のサイズの帯域幅を利用することによってＬＴＦシーケンスをワイヤレス・チャネル上で送信する。
【００４６】
レガシー手法に基づく８０ＭＨｚ  ＬＴＦシーケンスの構築
本開示の一態様では、８０ＭＨｚ  ＬＴＦシーケンスは、次式によって与えられるように２つの４０ＭＨｚ  ８０２．１１ｎ  ＬＴＦを使用することによって構築され得る。
【数１】
2015136120.tif 000003
【００４７】
ＤＣトーンの周りに５つの０サブキャリアが存在し得ることが、式（１）から観測され得る。ベクトルｉｎｔｅｒｐ４０Ｎｕｌｌ、ｉｎｔｅｒｐ８０ＥｘｔｒａＬ、およびｉｎｔｅｒｐ８０ＥｘｔｒａＲは、８０ＭＨｚの帯域幅など、所望の帯域幅を達成するためにＬＴＦにおける欠落したサブキャリア値を充填するために利用される補間シーケンスを表し得る。各補間シーケンスは、この特定の場合において３つのサブキャリアを備え得、ＰＡＰＲを最小限に抑えようとして（または少なくとも低減しようとして）最適化され得る。
【００４８】
図５に、本開示のいくつかの態様による、式（１）によって与えられる手法に基づいて設計された８０ＭＨｚ  ＬＴＦについてのＰＡＰＲ結果を示す。「回転あり」と標示されている図５からのケースは、４０ＭＨｚの上側周波数帯域が９０度だけ回転させられ得る、式（１）から発生されたＬＴＦを指す。送信の前のオーバー・サンプリングなしに２５６点逆フーリエ変換（ＩＦＦＴ）を利用する手法（すなわち、毎秒８０メガサンプルの送信レート）は、オーバー・サンプリングのケースのＰＡＰＲの下限を可能にし得、これらのＰＡＰＲ結果は、９０度位相回転ありのケースと９０度位相回転なしのケースとの好適なＬＴＦシーケンスに対応し得る。
【００４９】
１０２４点ＩＦＦＴを用いたオーバー・サンプリングのケースでは、図５に示すように、位相回転ありの手法と位相回転なしの手法とについてのＰＡＰＲ結果は、極めて近接し、両方とも７ｄＢよりも大きくなり得る。これらの２つの手法は、異なる好適なＬＴＦシーケンスを有し得る。４倍時間領域補間（４ｘ  ＴＤＩ）を用いた２５６点ＩＦＦＴおよびオーバー・サンプリングのケースでは、ＰＡＰＲ結果は、大部分はフィルタ処理パラメータに依存し得る。たとえば、図５に記載された結果は、このタイプのフィルタ処理のための好適な周波数であり得る、０．２５のフィルタ・カット・オフ周波数を用いて取得され得る。上側４０ＭＨｚ周波数帯域の９０度位相回転を用いて発生されたＬＴＦシーケンスは５．８８１６ｄＢのＰＡＰＲを与え得、そのＰＡＰＲは、位相回転を用いずに取得される８．７８９１ｄＢのＰＡＰＲよりもかなり小さい。
【００５０】
サブキャリアトーンは、さらに３つ以上のセグメントに分割され得、各セグメント上に異なる位相回転が適用され得る。これにより、ＰＡＰＲのレベルはさらに低くなり得、なぜなら、高いＰＡＰＲは、主に、あまりに多くの独立したサブキャリアが互いに加えられるためであり得るからである。
【００５１】
上側４０ＭＨｚ帯域の位相回転、ならびにＴＤＩに基づくオーバー・サンプリングが適用される場合、式（１）によって定義されるケースの好適な８０ＭＨｚ  ＬＴＦシーケンスは、５．８８１６ｄＢのＰＡＰＲの場合である。この好適なＬＴＦシーケンスは次式のように与えられ得る。
【数２】
2015136120.tif 000004
【００５２】
式（２）と式（１）とを比較することにより、補間シーケンスは次式のように与えられ得ることが観測され得る。
【数３】
2015136120.tif 000005
【００５３】
本開示の別の態様では、８０ＭＨｚ  ＬＴＦシーケンスは、次式によって与えられるように２つの４０ＭＨｚ  ８０２．１１ｎ  ＬＴＦを使用することによって構築され得る。
【数４】
2015136120.tif 000006
【００５４】
ＤＣトーンの周りに３つの０サブキャリアが存在し得ることが、式（４）から観測され得る。補間シーケンスｉｎｔｅｒｐ４０Ｎｕｌｌ、ｉｎｔｅｒｐ８０ＥｘｔｒａＬ、およびｉｎｔｅｒｐ８０ＥｘｔｒａＲは、ＰＡＰＲを最小限に抑えようとして（または少なくとも低減しようとして）選定されるべき余分のトーンを備え得る。
【００５５】
図６に、本開示のいくつかの態様による、式（４）によって与えられる手法に基づいて設計された８０ＭＨｚ  ＬＴＦについてのＰＡＰＲ結果を示す。「回転あり」と標示されている図６からのケースは、４０ＭＨｚの上側周波数帯域のトーンの位相が９０度だけ回転させられ得る、式（４）から発生されたＬＴＦを指す。
【００５６】
４倍時間領域補間（４ｘ  ＴＤＩ）に基づくオーバー・サンプリングを用いた２５６点ＩＦＦＴのケースでは、ＰＡＰＲ結果は、やはり大部分はフィルタ処理パラメータに依存し得る。たとえば、図６からのＰＡＰＲ結果は、０．２５のフィルタ・カット・オフ周波数を用いて取得され得る。図６に示すように、上側周波数帯域からのトーンを９０度だけ位相回転すると、６．０４２３ｄＢのＰＡＰＲが与えられ得、そのＰＡＰＲは、位相回転を用いずに取得される８．５８４１ｄＢのＰＡＰＲよりもかなり小さい。これは、オーバー・サンプリングのケースにおける好適な結果を表し得る。上側帯域における位相回転がＰＡＰＲのレベルをかなり低減し得ることが、図５〜図６から観測され得る。
【００５７】
上側４０ＭＨｚ帯域の位相回転、ならびにＴＤＩに基づくオーバー・サンプリングが適用される場合、式（４）によって定義されるケースの好適な８０ＭＨｚ  ＬＴＦシーケンスは、６．０４２３ｄＢのＰＡＰＲを与え得る（図６参照）。この好適なＬＴＦシーケンスは次式のように与えられ得る。
【数５】
2015136120.tif 000007
【００５８】
式（４）と式（５）とを比較することにより、式（４）からの補間シーケンスは次式のように与えられ得ることが観測され得る。
【数６】
2015136120.tif 000008
【００５９】
新しいシーケンス手法に基づく８０ＭＨｚ  ＬＴＦシーケンスの構築
８０ＭＨｚ  ＬＴＦシーケンスは、相補シーケンスによってカバーされる２０ＭＨｚサブバンドにおいて４つの８０２．１１ａ  ＬＴＦシーケンスを使用することによって構築され得、これは各サブバンド上での位相回転と等価であり得る。また、ＬＴＦシーケンスの送信中のＰＡＰＲを最小限に抑えようとして（または少なくとも低減しようとして）、いくつかの追加のトーン値が判断され得る。
【００６０】
本開示の一態様では、ＬＴＦシーケンスは次式のように構築され得る。
【数７】
2015136120.tif 000009
【００６１】
ＤＣトーンの周りに５つの０サブキャリアがあり得、補間シーケンスｉｎｔｅｒｐ２０Ｎｕｌｌ、ｉｎｔｅｒｐ４０Ｎｕｌｌ、ｉｎｔｅｒｐ８０ＥｘｔｒａＬ、ｉｎｔｅｒｐ８０ＥｘｔｒａＲが、ＰＡＰＲを最小限に抑えようとして（または少なくとも低減しようとして）選定されるべき余分のトーンを備え得、［ｃ１  ｃ２  ｃ３  ｃ４］が相補シーケンスを表し得ることが、式（７）から観測され得る。
【００６２】
図７Ａ〜図７Ｂに、本開示のいくつかの態様による、２０ＭＨｚサブバンド上での様々な位相回転パターンとともに式（７）によって与えられる手法に基づいて設計された８０ＭＨｚ  ＬＴＦについてのＰＡＰＲ結果の一例を示す。４つの２０ＭＨｚ  ８０２．１１ａ  ＬＴＦに基づいて構築された新しいＬＴＦシーケンスは、概して、２つの４０ＭＨｚ  ８０２．１１ｎ  ＬＴＦに基づいて前に構築されたＬＴＦシーケンス（すなわち、レガシー手法に基づいて発生され、式（２）および式（５）によって与えられたＬＴＦシーケンス）と比較して改善されたＰＡＰＲ結果を与え得ることが、図７Ａ〜図７Ｂから観測され得る。
【００６３】
また、上側帯域の位相回転によりＰＡＰＲが低減せず、ＰＡＰＲ結果がさらに悪くなることが、図７Ａ〜図７Ｂから観測され得る。また、相補シーケンス［１  １  １  −１］および［１  −１  １  １］はシーケンス［１  １  −１  １］および［−１  １  １  １］よりも良いＰＡＰＲ結果を与え得るが、相補シーケンス［１  １  １  −１］は［１  −１  １  １］パターンに極めて近いＰＡＰＲ結果を与え得る。上側４０ＭＨｚ帯域の９０度位相回転、および時間領域補間に基づくオーバー・サンプリングと組み合わせられた、［１  ｊ  １  −ｊ］相補シーケンスを使用することによって、４つの２０ＭＨｚ  ８０２．１１ａ  ＬＴＦに基づいて構築された新しいＬＴＦシーケンスは５．８９１３ｄＢのＰＡＰＲを与え得る。このＰＡＰＲ結果は、２つの４０ＭＨｚ  ８０２．１１ｎ  ＬＴＦに基づいて構築された、式（２）によって定義されるＬＴＦシーケンスの５．８８１６ｄＢのＰＡＰＲ結果（図５参照）に匹敵することが観測され得る。
【００６４】
４つの２０ＭＨｚ  ８０２．１１ａ  ＬＴＦと相補シーケンスとに基づいて構築された好適な８０ＭＨｚ  ＬＴＦシーケンスは、次式のように与えられ得る。
【数８】
2015136120.tif 000010
【００６５】
上式で、補間シーケンスｉｎｔｅｒｐ２０Ｎｕｌｌ、ｉｎｔｅｒｐ４０Ｎｕｌｌ、ｉｎｔｅｒｐ８０ＥｘｔｒａＬ、ｉｎｔｅｒｐ８０ＥｘｔｒａＲおよび回転パターン［ｃ１  ｃ２  ｃ３  ｃ４］は、様々な非オーバー・サンプリングおよびオーバー・サンプリングのケースについて図８において与えられている。
【００６６】
本開示の別の態様では、８０ＭＨｚ  ＬＴＦシーケンスは、すべての２０ＭＨｚ  ８０２．１１ａおよび４０ＭＨｚ  ８０２．１１ｎトーンを使用することによって構築され得る。したがって、任意の２０ＭＨｚサブバンドにおいて、２０ＭＨｚ  ８０２．１１ａまたは４０ＭＨｚ  ８０２．１１ｎ中に存在し得るあらゆるトーンが、２０ＭＨｚ  ＬＴＦシーケンスまたは４０ＭＨｚ  ＨＴ−ＬＴＦシーケンスからの対応するトーンの値を有し得る。さらに、２０ＭＨｚ  ８０２．１１ａ帯域幅ごとに相補位相回転シーケンスが適用され得（すなわち、８０２．１１ａトーンが回転させられ得）、数個の欠落したトーンが充填され得る。
【００６７】
構築された８０ＭＨｚ  ＬＴＦシーケンスは次式のように与えられ得る。
【数９】
2015136120.tif 000011
【００６８】
ＤＣトーンの周りに５つのサブキャリアがあり得、補間シーケンスｉｎｔｅｒｐ４０Ｎｕｌｌ、ｉｎｔｅｒｐ８０ＥｘｔｒａＬ、ｉｎｔｅｒｐ８０ＥｘｔｒａＲが、ＰＡＰＲを最小限に抑えようとして（または少なくとも低減しようとして）選定されるべき余分のトーンを備え得、［ｃ１  ｃ２  ｃ３  ｃ４］が相補シーケンスを表し得ることが、式（９）から観測され得る。この方式の利点は、既存の２０ＭＨｚ  ８０２．１１ａおよび４０ＭＨｚ  ８０２．１１ｎトーンの異なる値を記憶する必要がないことがあることである。一方、ＰＡＰＲを低減するために選定されるべき余分のトーンが少なくなるため、ＰＡＰＲのレベルは、わずかに高くなることがある。
【００６９】
図９Ａ〜図９Ｂに、本開示のいくつかの態様による、式（９）によって定義される手法に基づいて設計された８０ＭＨｚ  ＬＴＦについてのＰＡＰＲ結果の一例を示す。式（９）によって与えられる新たに発生されたＬＴＦシーケンスは、式（７）によって定義される、前に発生されたＬＴＦシーケンスのサブセットを表し得る。したがって、達成されるＰＡＰＲ結果は、図７Ａ〜図７Ｂに示すＰＡＰＲ結果よりも良くないことがある。
【００７０】
すべての２０ＭＨｚ  ８０２．１１ａおよび４０ＭＨｚ  ８０２．１１ｎトーンと、２０ＭＨｚ  ８０２．１１ａサブバンドの位相回転とに基づいて構築された好適な８０ＭＨｚ  ＬＴＦシーケンスは、次式のように与えられ得る。
【数１０】
2015136120.tif 000012
【００７１】
上式で、式（１０）からの補間シーケンスｉｎｔｅｒｐ４０Ｎｕｌｌ、ｉｎｔｅｒｐ８０ＥｘｔｒａＬ、ｉｎｔｅｒｐ８０ＥｘｔｒａＲおよび回転パターン［ｃ１  ｃ２  ｃ３  ｃ４］は、様々な非オーバー・サンプリングおよびオーバー・サンプリングのケースについて図１０において定義されている。
【００７２】
本開示のさらに別の態様では、８０ＭＨｚ  ＬＴＦシーケンスは、式（９）によって定義される構築されたＬＴＦシーケンスをわずかに変更することによって構築され得る。各２０ＭＨｚ帯域幅上に適用される相補シーケンス位相回転とともに、すべての２０ＭＨｚ  ８０２．１１ａおよび４０ＭＨｚ  ８０２．１１ｎトーンが利用され得る（すなわち、２０ＭＨｚ  ８０２．１１ａトーン＋４０ＭＨｚ  ８０２．１１ｎの余分のデータトーン）。また、数個の欠落したトーンが充填され得る。したがって、構築された８０ＭＨｚ  ＬＴＦシーケンスは次式のように与えられ得る。
【数１１】
2015136120.tif 000013
【００７３】
ＤＣトーンの周りに５つのサブキャリアがあり得、補間シーケンスｉｎｔｅｒｐ４０Ｎｕｌｌ、ｉｎｔｅｒｐ８０ＥｘｔｒａＬ、ｉｎｔｅｒｐ８０ＥｘｔｒａＲが、ＰＡＰＲを最小限に抑えようとして（または少なくとも低減しようとして）選定されるべき余分のトーンを備え得、［ｃ１  ｃ２  ｃ３  ｃ４］が相補シーケンスを表し得ることが、式（１１）から観測され得る。式（１１）によって定義される新たに発生されたシーケンスは、式（７）および式（９）によって定義されるＬＴＦシーケンスとは回転トーンカバレージが異なり得る。この特定の方式の利点は、既存の２０ＭＨｚ  ８０２．１１ａおよび４０ＭＨｚ  ８０２．１１ｎトーンの異なる値を記憶する必要がないことがあることである。一方、ＰＡＰＲを最小限に抑えようとして（または少なくとも低減しようとして）最適化されるべき余分のトーンが少なくなるため、ＰＡＰＲは、わずかに悪くなることがある。
【００７４】
図１１Ａ〜図１１Ｂに、本開示のいくつかの態様による、式（１１）によって与えられる手法に基づいて設計された８０ＭＨｚ  ＬＴＦについてのＰＡＰＲ結果の一例を示す。「回転なし  ８０Ｍｓｐｓ」（すなわち、２５６点ＩＦＦＴ）のケースについての最も良いＰＡＰＲ結果は３．３２３３ｄＢであり、そのＰＡＰＲ結果は、異なる回転トーンカバレージにより、式（７）によって定義されるＬＴＦシーケンスのＰＡＰＲ結果（すなわち、図８からの３．４２３９ｄＢのＰＡＰＲ）よりもさらに良い。
【００７５】
すべての２０ＭＨｚ  ８０２．１１ａおよび４０ＭＨｚ  ８０２．１１ｎトーンと、２０ＭＨｚサブバンドの位相回転とに基づいて構築された好適な８０ＭＨｚ  ＬＴＦシーケンスは、次式のように与えられ得る。
【数１２】
2015136120.tif 000014
【００７６】
上式で、式（１２）からの補間シーケンスｉｎｔｅｒｐ４０Ｎｕｌｌ、ｉｎｔｅｒｐ８０ＥｘｔｒａＬ、ｉｎｔｅｒｐ８０ＥｘｔｒａＲおよび回転パターン［ｃ１  ｃ２  ｃ３  ｃ４］は、様々な非オーバー・サンプリングおよびオーバー・サンプリングのケースについて図１２において定義されている。
【００７７】
ＬＴＦシーケンスを設計するための提案される手法は、他の数のサブキャリアトーンにも利用され得る。たとえば、ＩＥＥＥ８０２．１１ａｃ仕様の場合、数個のトーンが帯域エッジにおいてゼロアウトされ得る。代替的に、ＤＣトーンの周りのすべてのトーンが利用され得る。
【００７８】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々なハードウェアおよび／またはソフトウェア構成要素（複数可）および／またはモジュール（複数可）を含み得る。一般に、図に示す動作がある場合、それらの動作は、同様の番号をもつ対応するカウンターパートのミーンズプラスファンクション構成要素を有し得る。たとえば、図４および図１３に示すブロック４０２〜４０４および１３０２〜１３０６は、図４Ａおよび図１３Ａに示す回路ブロック４０２Ａ〜４０４Ａおよび１３０２Ａ〜１３０６Ａに対応する。
【００７９】
本明細書で使用する「判断」という用語は、多種多様なアクションを包含する。たとえば、「判断」は、計算、算出、処理、導出、調査、探索（たとえば、テーブル、データベース、または別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選定、確立などを含み得る。
【００８０】
本明細書で使用する、項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【００８１】
上記で説明した方法の様々な動作は、様々なハードウェアおよび／またはソフトウェア構成要素（複数可）、回路、および／またはモジュール（複数可）など、それらの動作を実行することが可能な任意の好適な手段によって実行され得る。一般に、図に示すどの動作も、その動作を実行することが可能な対応する機能的手段によって実行され得る。
【００８２】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロ・プロセッサであり得るが、代替として、プロセッサは、任意の市販のプロセッサ、コントローラ、マイクロ・コントローラ、または状態機械であり得る。プロセッサはまた、コンピューティング・デバイスの組合せ、たとえば、ＤＳＰとマイクロ・プロセッサとの組合せ、複数のマイクロ・プロセッサ、ＤＳＰコアと連携する１つまたは複数のマイクロ・プロセッサ、あるいは任意の他のそのような構成として実装され得る。
【００８３】
本開示に関連して説明した方法またはアルゴリズムのステップは、直接ハードウェアで実施されるか、プロセッサによって実行されるソフトウェア・モジュールで実施されるか、またはその２つの組合せで実施され得る。ソフトウェア・モジュールは、当技術分野で知られている任意の形態の記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェア・モジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【００８４】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００８５】
説明した機能は、ハードウェア、ソフトウェア、ファームウェア、またはそれらの組合せで実装され得る。ソフトウェアで実装した場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー(登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。
【００８６】
したがって、いくつかの態様は、本明細書で提示する動作を実行するためのコンピュータ・プログラム製品を備え得る。たとえば、そのようなコンピュータ・プログラム製品は、本明細書で説明した動作を実行するために１つまたは複数のプロセッサによって実行可能である命令をその上に記憶した（および／または符号化した）コンピュータ可読媒体を備え得る。いくつかの態様では、コンピュータ・プログラム製品はパッケージング材料を含み得る。
【００８７】
また、ソフトウェアまたは命令は送信媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【００８８】
さらに、本明細書に記載の方法および技法を実行するためのモジュールおよび／または他の適切な手段は、適用可能な場合にユーザ端末および／または基地局によってダウンロードおよび／または他の方法で取得され得ることを諒解されたい。たとえば、本明細書で説明した方法を実行するための手段の転送を可能にするために、そのようなデバイスをサーバに結合することができる。代替的に、本明細書で説明した様々な方法を記憶手段（たとえば、ＲＡＭ、ＲＯＭ、コンパクトディスク（ＣＤ）またはフロッピーディスクなどの物理的記憶媒体など）によって提供することができ、それにより、ユーザ端末および／または基地局は、その記憶手段をデバイスに結合または供給すると、それらの様々な方法を取得することができるようになる。さらに、本明細書で説明した方法および技法をデバイスに与えるための任意の他の適切な技法を利用することができる。
【００８９】
特許請求の範囲は、上記に示した正確な構成および構成要素に限定されないことを理解されたい。上記で説明した方法および装置の構成、動作および詳細において、特許請求の範囲から逸脱することなく、様々な改変、変更および変形を行い得る。
【００９０】
上記は本開示の実施形態を対象とするが、本開示の他の実施形態およびさらなる実施形態は、その基本的範囲から逸脱することなく考案され得、その範囲は以下の特許請求の範囲によって判断される。
【図１】
2015136120.tif 000015
【図２】
2015136120.tif 000016
【図３】
2015136120.tif 000017
【図４】
2015136120.tif 000018
【図４Ａ】
2015136120.tif 000019
【図５】
2015136120.tif 000020
【図６】
2015136120.tif 000021
【図７Ａ】
2015136120.tif 000022
【図７Ｂ】
2015136120.tif 000023
【図８】
2015136120.tif 000024
【図９Ａ】
2015136120.tif 000025
【図９Ｂ】
2015136120.tif 000026
【図１０】
2015136120.tif 000027
【図１１Ａ】
2015136120.tif 000028
【図１１Ｂ】
2015136120.tif 000029
【図１２】
2015136120.tif 000030
【図１３】
2015136120.tif 000031
【図１３Ａ】
2015136120.tif 000032
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
装置において、ロング・トレーニング・フィールド（ＬＴＦ）トーン値と複数の補間シーケンスを組み合わせたプリアンブルのＬＴＦシーケンスを判断することと、ここにおいて、前記ＬＴＦトーン値は、第１のサイズの帯域幅の少なくとも一部分をカバーし、前記ＬＴＦトーン値の各々は、異なるサブキャリアに対して１回または複数回繰り返され、前記ＬＴＦシーケンスのトーンの位相は、前記第１のサイズの帯域幅ごとに回転され、前記ＬＴＦシーケンスのあるトーンは、パイロット位置での値のストリームを有する、
前記装置によって、前記プリアンブルを送信することと
を備えるワイヤレス通信のための方法。
【請求項２】
前記ＬＴＦトーン値は、米国電気電子技術者協会（ＩＥＥＥ）８０２．１１ｎ規格、ＩＥＥＥ８０２．１１ａ規格、ＩＥＥＥ８０２．１１ａｃ規格、またはＩＥＥＥ８０２．１１ａｄ規格、のうちの少なくとも１つに関連する、請求項１に記載の方法。
【請求項３】
前記ＬＴＦシーケンスの前記トーンの位相が、前記ＬＴＦシーケンスの送信中のピーク対平均電力比（ＰＡＰＲ）を低減しようとして回転される、または
前記ストリームの値が、前記ＬＴＦシーケンスの前記送信中の前記ＰＡＰＲを低減しようとして選定される、
のうちの少なくとも１つが行われる、請求項１に記載の方法。
【請求項４】
前記ＬＴＦシーケンスは、前記第１のサイズよりも大きい第２のサイズの帯域幅を利用することによって、ワイヤレス・チャネル上で、前記プリアンブル内で送信される、請求項１に記載の方法。
【請求項５】
前記第２のサイズの前記帯域幅は、８０ＭＨｚの帯域または１６０ＭＨｚの帯域を備える、請求項４に記載の方法。
【請求項６】
前記第１のサイズの前記帯域幅は、２０ＭＨｚの帯域または４０ＭＨｚの帯域のうちの少なくとも１つを備える、請求項１に記載の方法。
【請求項７】
前記ＬＴＦシーケンスを前記判断することは、
前記ＬＴＦシーケンスの送信中のピーク対平均電力比（ＰＡＰＲ）を低減しようとして前記複数の補間シーケンスを設計すること
を備える、請求項１に記載の方法。
【請求項８】
前記ＬＴＦシーケンスの前記トーンのサブセットの位相は、１８０°だけ回転される、請求項１に記載の方法。
【請求項９】
前記ＬＴＦシーケンスは、
【数１】
2015136120.tif 000033
を備え、
［ｃ１  ｃ２  ｃ３  ｃ４］は、位相回転パターンであり、前記位相回転パターンの各要素は、前記第１のサイズの帯域幅ごとに前記ＬＴＦシーケンスの前記トーンの位相を回転させることに関連づけられており、
前記複数の補間シーケンスは、ｉｎｔｅｒｐ２０Ｎｕｌｌ、ｉｎｔｅｒｐ４０Ｎｕｌｌ、ｉｎｔｅｒｐ８０ＥｘｔｒａＬ、およびｉｎｔｅｒｐ８０ＥｘｔｒａＲのシーケンスを備える、
請求項１に記載の方法。
【請求項１０】
前記値のストリームは、サブキャリア−１２２と１２２の間にまたがる前記ＬＴＦシーケンスの前記パイロット位置［−１０３，−７５，−３９，−１１，１１，３９，７５，１０３］について、［−１，１，１，１，−１，−１，１，１］を備える、請求項１に記載の方法。
【請求項１１】
ロング・トレーニング・フィールド（ＬＴＦ）トーン値と複数の補間シーケンスを組み合わせたプリアンブルのＬＴＦシーケンスを判断するように構成された回路と、ここにおいて、前記ＬＴＦトーン値は、第１のサイズの帯域幅の少なくとも一部分をカバーし、前記ＬＴＦトーン値の各々は、異なるサブキャリアに対して１回または複数回繰り返され、前記ＬＴＦシーケンスのトーンの位相は、前記第１のサイズの帯域幅ごとに回転され、前記ＬＴＦシーケンスのあるトーンは、パイロット位置での値のストリームを有する、
前記プリアンブルを送信するように構成された送信機と
を備えるワイヤレス通信のための装置。
【請求項１２】
前記ＬＴＦトーン値は、米国電気電子技術者協会（ＩＥＥＥ）８０２．１１ｎ規格、ＩＥＥＥ８０２．１１ａ規格、ＩＥＥＥ８０２．１１ａｃ規格、またはＩＥＥＥ８０２．１１ａｄ規格、のうちの少なくとも１つに関連する、請求項１１に記載の装置。
【請求項１３】
前記ＬＴＦシーケンスの前記トーンの位相が、前記ＬＴＦシーケンスの送信中のピーク対平均電力比（ＰＡＰＲ）を低減しようとして回転される、または
前記ストリームの値が、前記ＬＴＦシーケンスの前記送信中の前記ＰＡＰＲを低減しようとして選定される、
のうちの少なくとも１つが行われる、請求項１１に記載の装置。
【請求項１４】
前記ＬＴＦシーケンスは、前記第１のサイズよりも大きい第２のサイズの帯域幅を利用することによって、ワイヤレス・チャネル上で、前記プリアンブル内で送信される、請求項１１に記載の装置。
【請求項１５】
前記第２のサイズの前記帯域幅は、８０ＭＨｚの帯域または１６０ＭＨｚの帯域を備える、請求項１４に記載の装置。
【請求項１６】
前記第１のサイズの前記帯域幅は、２０ＭＨｚの帯域または４０ＭＨｚの帯域のうちの少なくとも１つを備える、請求項１１に記載の装置。
【請求項１７】
前記回路はさらに、
前記ＬＴＦシーケンスの送信中のピーク対平均電力比（ＰＡＰＲ）を低減しようとして前記複数の補間シーケンスを設計する
ように構成される、請求項１１に記載の装置。
【請求項１８】
前記ＬＴＦシーケンスの前記トーンのサブセットの位相は、１８０°だけ回転される、請求項１１に記載の装置。
【請求項１９】
前記ＬＴＦシーケンスは、
【数２】
2015136120.tif 000034
を備え、
［ｃ１  ｃ２  ｃ３  ｃ４］は、位相回転パターンであり、前記位相回転パターンの各要素は、前記第１のサイズの帯域幅ごとに前記ＬＴＦシーケンスの前記トーンの位相を回転させることに関連づけられており、
前記複数の補間シーケンスは、ｉｎｔｅｒｐ２０Ｎｕｌｌ、ｉｎｔｅｒｐ４０Ｎｕｌｌ、ｉｎｔｅｒｐ８０ＥｘｔｒａＬ、およびｉｎｔｅｒｐ８０ＥｘｔｒａＲのシーケンスを備える、
請求項１１に記載の装置。
【請求項２０】
前記値のストリームは、サブキャリア−１２２と１２２の間にまたがる前記ＬＴＦシーケンスの前記パイロット位置［−１０３，−７５，−３９，−１１，１１，３９，７５，１０３］について、［−１，１，１，１，−１，−１，１，１］を備える、請求項１１に記載の装置。
【請求項２１】
ロング・トレーニング・フィールド（ＬＴＦ）トーン値と複数の補間シーケンスを組み合わせたプリアンブルのＬＴＦシーケンスを判断するための手段と、ここにおいて、前記ＬＴＦトーン値は、第１のサイズの帯域幅の少なくとも一部分をカバーし、前記ＬＴＦトーン値の各々は、異なるサブキャリアに対して１回または複数回繰り返され、前記ＬＴＦシーケンスのトーンの位相は、前記第１のサイズの帯域幅ごとに回転され、前記ＬＴＦシーケンスのあるトーンは、パイロット位置での値のストリームを有する、
前記プリアンブルを送信するための手段と
を備えるワイヤレス通信のための装置。
【請求項２２】
ロング・トレーニング・フィールド（ＬＴＦ）トーン値と複数の補間シーケンスを組み合わせたプリアンブルのＬＴＦシーケンスを判断することと、ここにおいて、前記ＬＴＦトーン値は、第１のサイズの帯域幅の少なくとも一部分をカバーし、前記ＬＴＦトーン値の各々は、異なるサブキャリアに対して１回または複数回繰り返され、前記ＬＴＦシーケンスのトーンの位相は、前記第１のサイズの帯域幅ごとに回転され、前記ＬＴＦシーケンスのあるトーンは、パイロット位置での値のストリームを有する、
前記プリアンブルを送信することと
を行うように実行可能な命令を備える非一時的なコンピュータ可読媒体。
【請求項２３】
前記判断することは、探索すること、アクセスすること、選択すること、または選定すること、のうちの少なくとも１つを備える、請求項１に記載の方法。
【請求項２４】
装置において、ロング・トレーニング・フィールド（ＬＴＦ）トーン値と複数の補間シーケンスを組み合わせたプリアンブルのＬＴＦシーケンスを判断することと、ここにおいて、前記ＬＴＦトーン値は、第１のサイズの帯域幅の少なくとも一部分をカバーし、前記ＬＴＦトーン値の各々は、異なるサブキャリアに対して１回または複数回繰り返される、
前記装置において、前記ＬＴＦシーケンスの送信中に前記第１のサイズの帯域幅ごとに前記ＬＴＦシーケンスのトーンの位相を回転することと、
パイロット位置での前記ＬＴＦシーケンスのトーンを、定義された、値のストリームに置き換えることと
を備えるワイヤレス通信のための方法。
【請求項２５】
ロング・トレーニング・フィールド（ＬＴＦ）トーン値と複数の補間シーケンスを組み合わせたプリアンブルのＬＴＦシーケンスを判断するように構成された第１の回路と、ここにおいて、前記ＬＴＦトーン値は、第１のサイズの帯域幅の少なくとも一部分をカバーし、前記ＬＴＦトーン値の各々は、異なるサブキャリアに対して１回または複数回繰り返される、
前記ＬＴＦシーケンスの送信中に前記第１のサイズの帯域幅ごとに前記ＬＴＦシーケンスのトーンの位相を回転するように構成された第２の回路と、
パイロット位置での前記ＬＴＦシーケンスのトーンを、定義された、値のストリームに置き換えるように構成された第３の回路と
を備えるワイヤレス通信のための装置。
【請求項２６】
少なくとも１つのアンテナと、
ロング・トレーニング・フィールド（ＬＴＦ）トーン値と複数の補間シーケンスを組み合わせたプリアンブルのＬＴＦシーケンスを判断するように構成された第１の回路と、ここにおいて、前記ＬＴＦトーン値は、第１のサイズの帯域幅の少なくとも一部分をカバーし、前記ＬＴＦトーン値の各々は、異なるサブキャリアに対して１回または複数回繰り返される、
前記ＬＴＦシーケンスの送信中に前記第１のサイズの帯域幅ごとに前記ＬＴＦシーケンスのトーンの位相を回転するように構成された第２の回路と、
パイロット位置での前記ＬＴＦシーケンスのトーンを、定義された、値のストリームに置き換えるように構成された第３の回路と、
第２のサイズの帯域幅を利用することによって、ワイヤレス・チャネル上で、前記プリアンブル内で、前記ＬＴＦシーケンスを前記少なくとも１つのアンテナを介して送信するように構成された送信機と、
を備えるアクセスポイント。
【請求項２７】
判断されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせた前記ＬＴＦシーケンスを判断することと、
第１のサイズの帯域幅を利用することによって、前記判断されたＬＴＦシーケンスをワイヤレス・チャネル上で送信することと、
を備えるワイヤレス通信のための方法。
【請求項２８】
判断されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせた前記ＬＴＦシーケンスを判断するように構成された回路と、
第１のサイズの帯域幅を利用することによって、前記判断されたＬＴＦシーケンスをワイヤレス・チャネル上で送信するように構成された送信機と、
を備えるワイヤレス通信のための装置。
【請求項２９】
少なくとも１つのアンテナと、
判断されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせた前記ＬＴＦシーケンスを判断するように構成された回路と、
第１のサイズの帯域幅を利用することによって、前記判断されたＬＴＦシーケンスを前記少なくとも１つのアンテナを介してワイヤレス・チャネル上で送信するように構成された送信機と、
を備えるワイヤレス・ノード。
【請求項３０】
米国電気電子技術者協会（ＩＥＥＥ）８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせたＬＴＦシーケンスを判断することと、ここにおいて、前記ＬＴＦシンボル値は、第１のサイズの帯域幅の少なくとも一部分をカバーし、前記ＬＴＦシンボル値の各々は、異なるサブキャリアに対して１回または複数回繰り返される、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させることと、
第２のサイズの帯域幅を利用することによって前記ＬＴＦシーケンスをワイヤレス・チャネル上で送信することと、
を備えるワイヤレス通信のための方法。
【請求項３１】
米国電気電子技術者協会（ＩＥＥＥ）８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせたＬＴＦシーケンスを判断するように構成された第１の回路と、ここにおいて、前記ＬＴＦシンボル値は、第１のサイズの帯域幅の少なくとも一部分をカバーし、前記ＬＴＦシンボル値の各々は、異なるサブキャリアに対して１回または複数回繰り返される、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させるように構成された第２の回路と、
第２のサイズの帯域幅を利用することによって前記ＬＴＦシーケンスをワイヤレス・チャネル上で送信するように構成された送信機と、
を備えるワイヤレス通信のための装置。
【請求項３２】
少なくとも１つのアンテナと、
米国電気電子技術者協会（ＩＥＥＥ）８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせたＬＴＦシーケンスを判断するように構成された第１の回路と、ここにおいて、前記ＬＴＦシンボル値は、第１のサイズの帯域幅の少なくとも一部分をカバーし、前記ＬＴＦシンボル値の各々は、異なるサブキャリアに対して１回または複数回繰り返される、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させるように構成された第２の回路と、
第２のサイズの帯域幅を利用することによって前記ＬＴＦシーケンスを前記少なくとも１つのアンテナを介してワイヤレス・チャネル上で送信するように構成された送信機と、
を備えるワイヤレス・ノード。
【手続補正２】
【補正対象書類名】明細書
【補正対象項目名】００９０
【補正方法】変更
【補正の内容】
【００９０】
上記は本開示の実施形態を対象とするが、本開示の他の実施形態およびさらなる実施形態は、その基本的範囲から逸脱することなく考案され得、その範囲は以下の特許請求の範囲によって判断される。
以下に、本願出願の当初の特許請求の範囲に記載された発明を付記する。
［Ｃ１］  構築されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせることによって前記ＬＴＦシーケンスを構築することと、
第１のサイズの帯域幅を利用することによって、前記構築されたＬＴＦシーケンスをワイヤレス・チャネル上で送信することと、
を備えるワイヤレス通信のための方法。
［Ｃ２］  前記ＬＴＦシーケンスを構築することが、
前記ＰＡＰＲを低減しようとして前記複数の補間シーケンスを設計すること、
を備えるＣ１に記載の方法。
［Ｃ３］  前記ＬＴＦシーケンスを構築することが、
前記ＰＡＰＲを低減しようとして前記１つまたは複数の他のシーケンス内の複数のシンボルの位相を回転させること、
を備えるＣ２に記載の方法。
［Ｃ４］  前記１つまたは複数の他のシーケンスの１つまたは複数の部分が、前記ＰＡＰＲを低減しようとして設計されるＣ３に記載の方法。
［Ｃ５］  前記複数の補間シーケンスのうちの１つまたは複数のシーケンスの１つまたは複数の部分が、前記ＰＡＰＲを低減しようとして設計されるＣ３に記載の方法。
［Ｃ６］  前記ＬＴＦシーケンスを構築することが、
前記ＰＡＰＲを低減しようとして前記構築されたＬＴＦシーケンスの複数のシンボルの位相を回転させることであって、前記複数のシンボルが前記帯域幅の一部分に属する、回転させること、
を備えるＣ１に記載の方法。
［Ｃ７］  前記送信より前にオーバー・サンプリングを実行すること、
をさらに備えるＣ６に記載の方法。
［Ｃ８］  前記第１のサイズの前記帯域幅が８０ＭＨｚの帯域幅を備えるＣ１に記載の方法。
［Ｃ９］  構築されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせることによって前記ＬＴＦシーケンスを構築するように構成された構築回路と、
第１のサイズの帯域幅を利用することによって、前記構築されたＬＴＦシーケンスをワイヤレス・チャネル上で送信するように構成された送信機と、
を備えるワイヤレス通信のための装置。
［Ｃ１０］  前記構築回路が、前記ＰＡＰＲを低減しようとして前記複数の補間シーケンスを設計するようにも構成されるＣ９に記載の装置。
［Ｃ１１］  前記構築回路が、前記ＰＡＰＲを低減しようとして前記１つまたは複数の他のシーケンス内の複数のシンボルの位相を回転させるようにも構成されるＣ１０に記載の装置。
［Ｃ１２］  前記１つまたは複数の他のシーケンスの１つまたは複数の部分が、前記ＰＡＰＲを低減しようとして設計されるＣ１１に記載の装置。
［Ｃ１３］  前記複数の補間シーケンスのうちの１つまたは複数のシーケンスの１つまたは複数の部分が、前記ＰＡＰＲを低減しようとして設計されるＣ１１に記載の装置。
［Ｃ１４］  前記構築回路が、
前記ＰＡＰＲを低減しようとして前記構築されたＬＴＦシーケンスの複数のシンボルの位相を回転させることであって、前記複数のシンボルが前記帯域幅の一部分に属する、回転させることを行うようにも構成されるＣ９に記載の装置。
［Ｃ１５］  前記送信より前にオーバー・サンプリングを実行するように構成されたサンプラ
をさらに備えるＣ１４に記載の装置。
［Ｃ１６］  前記第１のサイズの前記帯域幅が８０ＭＨｚの帯域幅を備えるＣ９に記載の装置。
［Ｃ１７］  構築されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせることによって前記ＬＴＦシーケンスを構築するための手段と、
第１のサイズの帯域幅を利用することによって、前記構築されたＬＴＦシーケンスをワイヤレス・チャネル上で送信するための手段と、
を備えるワイヤレス通信のための装置。
［Ｃ１８］  前記ＬＴＦシーケンスを構築するための前記手段が、
前記ＰＡＰＲを低減しようとして前記複数の補間シーケンスを設計するための手段
を備えるＣ１７に記載の装置。
［Ｃ１９］  前記ＬＴＦシーケンスを構築するための前記手段が、
前記ＰＡＰＲを低減しようとして前記１つまたは複数の他のシーケンス内の複数のシンボルの位相を回転させるための手段を備えるＣ１８に記載の装置。
［Ｃ２０］  前記１つまたは複数の他のシーケンスの１つまたは複数の部分が、前記ＰＡＰＲを低減しようとして設計されるＣ１９に記載の装置。
［Ｃ２１］  前記複数の補間シーケンスのうちの１つまたは複数のシーケンスの１つまたは複数の部分が、前記ＰＡＰＲを低減しようとして設計されるＣ１９に記載の装置。
［Ｃ２２］  前記ＬＴＦシーケンスを構築するための前記手段が、
前記ＰＡＰＲを低減しようとして前記構築されたＬＴＦシーケンスの複数のシンボルの位相を回転させるための手段であって、前記複数のシンボルが前記帯域幅の一部分に属する、回転させるための手段を備えるＣ１７に記載の装置。
［Ｃ２３］  前記送信より前にオーバー・サンプリングを実行するための手段をさらに備えるＣ２２に記載の装置。
［Ｃ２４］  前記第１のサイズの前記帯域幅が８０ＭＨｚの帯域幅を備えるＣ１７に記載の装置。
［Ｃ２５］  構築されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせることによって前記ＬＴＦシーケンスを構築することと、
第１のサイズの帯域幅を利用することによって、前記構築されたＬＴＦシーケンスをワイヤレス・チャネル上で送信することと、
を行うように実行可能な命令を備えるコンピュータ可読媒体を備えるワイヤレス通信のためのコンピュータ・プログラム製品。
［Ｃ２６］  少なくとも１つのアンテナと、
構築されるロング・トレーニング・フィールド（ＬＴＦ）シーケンスの送信中のピーク対平均電力比（ＰＡＰＲ）を低減しようとして、複数の補間シーケンスと複数回繰り返される１つまたは複数の他のシーケンスとを組み合わせることによって前記ＬＴＦシーケンスを構築するように構成された構築回路と、
第１のサイズの帯域幅を利用することによって、前記構築されたＬＴＦシーケンスを前記少なくとも１つのアンテナを介してワイヤレス・チャネル上で送信するように構成された送信機と、
を備えるワイヤレス・ノード。
［Ｃ２７］  ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築することであって、
前記ＬＴＦシンボル値が第１のサイズの帯域幅の少なくとも一部分をカバーし、
前記ＬＴＦシンボル値の各々が、異なるサブキャリアに対して１回または複数回繰り返される、
構築することと、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させることと、
第２のサイズの帯域幅を利用することによって前記ＬＴＦシーケンスをワイヤレス・チャネル上で送信することと、
を備えるワイヤレス通信のための方法。
［Ｃ２８］  前記ＬＴＦシーケンスを構築することが、
前記ＰＡＰＲを低減しようとして前記複数の補間シーケンスを設計すること
を備えるＣ２７に記載の方法。
［Ｃ２９］  前記第１のサイズの前記帯域幅が２０ＭＨｚの帯域幅を備えるＣ２７に記載の方法。
［Ｃ３０］  前記第１のサイズの前記帯域幅が４０ＭＨｚの帯域幅を備えるＣ２７に記載の方法。
［Ｃ３１］  前記第２のサイズの前記帯域幅が８０ＭＨｚの帯域幅を備えるＣ２７に記載の方法。
［Ｃ３２］  前記ＰＡＰＲを低減しようとして前記ＬＴＦシーケンスの複数のシンボルの位相を回転させることであって、前記複数のシンボルが前記第２のサイズの前記帯域幅の一部分に属する、回転させることをさらに備えるＣ２７に記載の方法。
［Ｃ３３］  前記送信より前にオーバー・サンプリングを実行すること
をさらに備えるＣ３２に記載の方法。
［Ｃ３４］  ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築するように構成された第１の回路であって、
前記ＬＴＦシンボル値が第１のサイズの帯域幅の少なくとも一部分をカバーし、前記ＬＴＦシンボル値の各々が、異なるサブキャリアに対して１回または複数回繰り返されている第１の回路と、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させるように構成された第２の回路と、
第２のサイズの帯域幅を利用することによって前記ＬＴＦシーケンスをワイヤレス・チャネル上で送信するように構成された送信機と、
を備えるワイヤレス通信のための装置。
［Ｃ３５］  前記第１の回路が、前記ＰＡＰＲを低減しようとして前記複数の補間シーケンスを設計するようにも構成されるＣ３４に記載の装置。
［Ｃ３６］  前記第１のサイズの前記帯域幅が２０ＭＨｚの帯域幅を備えるＣ３４に記載の装置。
［Ｃ３７］  前記第１のサイズの前記帯域幅が４０ＭＨｚの帯域幅を備えるＣ３４に記載の装置。
［Ｃ３８］  前記第２のサイズの前記帯域幅が８０ＭＨｚの帯域幅を備えるＣ３４に記載の装置。
［Ｃ３９］  前記ＰＡＰＲを低減しようとして前記ＬＴＦシーケンスの複数のシンボルの位相を回転させるように構成された第３の回路であって、前記複数のシンボルが前記第２のサイズの前記帯域幅の一部分に属する第３の回路をさらに備えるＣ３４に記載の装置。
［Ｃ４０］  前記送信より前にオーバー・サンプリングを実行するように構成されたサンプラ
をさらに備えるＣ３９に記載の装置。
［Ｃ４１］  ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築するための手段であって、
前記ＬＴＦシンボル値が第１のサイズの帯域幅の少なくとも一部分をカバーし、前記ＬＴＦシンボル値の各々が、異なるサブキャリアに対して１回または複数回繰り返されている構築するための手段と、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させるための手段と、
第２のサイズの帯域幅を利用することによって前記ＬＴＦシーケンスをワイヤレス・チャネル上で送信するための手段と、
を備えるワイヤレス通信のための装置。
［Ｃ４２］  ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築することであって、
前記ＬＴＦシンボル値が第１のサイズの帯域幅の少なくとも一部分をカバーし、前記ＬＴＦシンボル値の各々が、異なるサブキャリアに対して１回または複数回繰り返されている構築することと、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させることと、
第２のサイズの帯域幅を利用することによって前記ＬＴＦシーケンスをワイヤレス・チャネル上で送信することと、
を行うように実行可能な命令を備えるコンピュータ可読媒体を備えるワイヤレス通信のためのコンピュータ・プログラム製品。
［Ｃ４３］  少なくとも１つのアンテナと、
ＩＥＥＥ８０２．１１ｎ規格またはＩＥＥＥ８０２．１１ａ規格のうちの少なくとも１つに関連するロング・トレーニング・フィールド（ＬＴＦ）シンボル値と複数の補間シーケンスを組み合わせることによってＬＴＦシーケンスを構築するように構成された第１の回路であって、
前記ＬＴＦシンボル値が第１のサイズの帯域幅の少なくとも一部分をカバーし、前記ＬＴＦシンボル値の各々が、異なるサブキャリアに対して１回または複数回繰り返されている第１の回路と、
前記ＬＴＦシーケンスの送信中のピーク対平均電力比（ＰＡＰＲ）を低減しようとして前記第１のサイズの帯域幅ごとに前記ＬＴＦシーケンスのシンボルの位相を回転させるように構成された第２の回路と、
第２のサイズの帯域幅を利用することによって前記ＬＴＦシーケンスを前記少なくとも１つのアンテナを介してワイヤレス・チャネル上で送信するように構成された送信機と、
を備えるワイヤレス・ノード。
【外国語明細書】
2015136120000001.pdf